(57)【要約】      （修正有）【課題】丸線弾力性発条型保持具は、弾性の原理を利用してワンタッチ操作で被保持体を取り付けパネルの所定位置に固定または脱着できて、部品の点数の軽減と作業時間の大幅な短縮をはかる。【解決手段】本考案は、丸線弾力性発条型保持具の一方が取り付けパネルの挿入孔に容易に挿入でき、当該保持具の左右対称な部分を摘み取り付けパネルのもう一方の挿入孔に挿入後に手放すことにより固定位置を確保できる。【選択図】図６
0003131718.tif 000002
【実用新案登録請求の範囲】
【請求項１】
取り付けパネル表面との間に被保持体を挟持するように丸線発条に形成された保持体の先端部を取り付けパネルの係止取り付け孔に先行挿入し、一方、保持体の他端である足部を取り付けパネルの嵌脱取り付け孔にワッタッチ押動操作により挿入して嵌脱自在とした弾性嵌脱部をそれぞれ形成するとともに、当該弾性嵌脱部の外側部からは、上記嵌脱取り付け孔からの脱出が可能となる当該弾性嵌脱部を圧縮自在とした丸線発条が取り付けパネルの裏面側へ向けて突設されていることを特徴とする保持具。
【請求項２】
丸線発条に形成された本体は、図面に示す如く前方立面断面図、後方立面断面図、平面図では左右対称の形状でその対称部を摘む際に本体の足部の両端間の長さが取り付けパネルの係止取り付け孔の幅以内に設計されている実用新案請求第１項記載の保持具。
【請求項３】
丸線発条に形成された本体の先端部の幅が、取り付けパネルの係止取り付け孔の幅以内に設計されている実用新案請求第１項または第２項記載の保持具。
【考案の詳細な説明】
【技術分野】
【０００１】本考案は、予定された取り付けパネルの表面の予定箇所に、変形自在の導線又はパイプ、直線形状または流線型状のガラス管等の被保持体を巻持するために用いられる丸線発条からなる保持具に関する。
【背景技術】
【０００２】従来パイプ等の一般的なこの種の保持具としては、図１の様に取り付けパネル７に装備された被保持体Ａに、金属板等の屈曲保持片Ｂを被せて、当該保持片Ｂの湾曲部Ｃにより被保持体Ａを抱持するとともに、この湾曲部Ｃから延出した取り付け平板部Ｄを取り付けパネル７に押し当て、当該平板部Ｄをその取り付け孔１０から螺子止したビス９によって同パネル７に固定する様にしたものが用いられている。しかし、金属板等の屈曲保持片を用いると、導線や流線型状のガラス管に傷が生じやすい。また両端をビス止めするのに位置決めとビス挿入固定などの螺子止作業に労力と部品点数の増加とかなりの時間を費やすことになって、作業性が大幅に低下する。
【考案の開示】
【考案が解決しようとする課題】
【０００３】取り付けパネルに被保持体を取り付ける際に、固定箇所の位置決めの難しさを解消し、さらにビスを使用せず、作業時間を大幅に短縮することを目的とする。
【課題を解決するための手段】
【０００４】本考案は、上記従来の諸問題を解消すべく、取り付けパネルに取り付ける際には、丸線発条の先端部を取り付けパネルの挿入孔に先行挿入して、さらに丸線発条の左右対称部を摘み、もう一方の取り付けパネルの挿入孔に押動操作することにより被保持体を保持する。取り外す場合も丸線発条の左右対称部を摘むことにより、簡単に係止取り付け孔から丸線発条の端が取り出されるので他方も自動的に外れる。
【考案の効果】
【０００５】本考案に係る弾力性発條型保持具は、弾性の原理を利用してワンタッチ操作で被保持体を固定位置に確保でき、しかるに取り付け箇所が数箇所にも及び、部品の節約と作業時間の大幅な短縮をはかる。
【実施例】
【０００６】取り付けパネル７の表面の予定箇所に、導線又はパイプや流線型状のヒーター５を内蔵したガラス管６からなる被保持体を巻持するために、丸線弾力性発條型保持具１の先端部４を取り付けパネル７の挿入孔８に先行挿入して、さらに丸線発条の左右対称部３を摘み、もう一方の取り付けパネル７の挿入孔８に保持体の足部２を押動操作することにより導線又はパイプ流線型状のヒーター５を内蔵したガラス管６からなる被保持体を保持する。【０００７】取り付けパネル７から被保持体を取り外す場合は丸線発条の左右対称部３を摘むことにより保持体の足部２の左右の幅が取り付けパネル７の挿入孔８の幅より狭くなり、取り付けパネル７の挿入孔８つまり係止取り付け孔から丸線発条の端が取り出される。
【図面の簡単な説明】
【０００８】図１は従来の保持具を示す取着状態斜視説明図
図２ａはガラス管留め用弾力性丸線八条の傾斜横側面透視図、
図２ｂはガラス管留め用弾力性丸線八条の傾斜前面透視図
図３ａはガラス管留め用弾力性丸線八条の側面断面図
図３ｂはガラス管留め用弾力性丸線八条の前部側面断面図
図４は取り付けパネルの平面図
図５はガラス管を押留め保持した際の平面図
図６はガラス管を押留め保持した際の横断面図
【符号の説明】
【０００９】１……保持体、２……保持体の足部、３……保持体の屈曲係止部、４……保持体の先端部、５……ヒーター線、６……ガラス管、７……取り付けパネル、８……取り付けパネルの挿入孔、９……ビス、１０……ビス孔、
Ａ……被保持体、Ｂ……保持体片、Ｃ……保持体片の湾曲部、Ｄ……保持体片の平板部、
【図１】
0003131718.tif 000003
【図２】
0003131718.tif 000004
【図３】
0003131718.tif 000005
【図４】
0003131718.tif 000006
【図６】
0003131718.tif 000007
【手続補正書】
【提出日】平成18年12月8日(2006.12.8)
【手続補正１】
【補正対象書類名】実用新案登録請求の範囲
【補正対象項目名】請求項１
【補正方法】変更
【補正の内容】
【請求項１】
取り付けパネル表面との間に被保持体を挟持するように丸線発条に形成された保持体の先端部を取り付けパネルの係止取り付け孔に先行挿入し、一方、保持体の他端である足部を取り付けパネルの嵌脱取り付け孔にワッタッチ押動操作により挿入して嵌脱自在とした弾性嵌脱部をそれぞれ形成するとともに、当該弾性嵌脱部の外側部からは、上記嵌脱取り付け孔からの脱出が可能となる当該弾性嵌脱部を圧縮自在とした丸線発条が取り付けパネルに導線又はパイプや流線型状のガラス管等の被保持体を巻持する保持具。
【手続補正２】
【補正対象書類名】実用新案登録請求の範囲
【補正対象項目名】請求項２
【補正方法】変更
【補正の内容】
【請求項２】
丸線発条に形成された保持体が左右対称の形状でその中間部にある左右対称の屈曲係止部を摘む際に保持体の足部の両端間の長さが取り付けパネルの係止取り付け孔の幅以内に設計されている実用新案請求第１項記載の保持具。
【手続補正３】
【補正対象書類名】明細書
【補正対象項目名】０００５
【補正方法】変更
【補正の内容】
【０００５】  本考案に係る弾力性発条型保持具は、弾性の原理を利用してワンタッチ操作で被保持体を固定位置に確保でき、しかるに取り付け箇所が数箇所にも及び、部品の節約と作業時間の大幅な短縮をはかる。
【手続補正４】
【補正対象書類名】明細書
【補正対象項目名】０００６
【補正方法】変更
【補正の内容】
【０００６】  取り付けパネル７の表面の予定箇所に、導線又はパイプや流線型状のヒーター５を内蔵したガラス管６からなる被保持体を巻持するために、丸線弾力性発条型保持具１の先端部４を取り付けパネル７の挿入孔８に先行挿入して、さらに丸線発条の左右対称部３を摘み、もう一方の取り付けパネル７の挿入孔８に保持体の足部２を押動操作することにより導線又はパイプ流線型状のヒーター５を内蔵したガラス管６からなる被保持体を保持する。
【手続補正５】
【補正対象書類名】明細書
【補正対象項目名】０００８
【補正方法】変更
【補正の内容】
【０００８】
【図１】従来の保持具を示す取着状態斜視説明図
【図２ａ】ガラス管留め用弾力性丸線発条の傾斜横側面透視図、
【図２ｂ】ガラス管留め用弾力性丸線発条の傾斜前面透視図
【図３ａ】ガラス管留め用弾力性丸線発条の側面断面図
【図３ｂ】ガラス管留め用弾力性丸線発条の前部側面断面図
【図４】取り付けパネルの平面図
【図５】ガラス管を押留め保持した際の平面図
【図６】ガラス管を押留め保持した際の横断面図
【手続補正６】
【補正対象書類名】図面
【補正対象項目名】全図
【補正方法】変更
【補正の内容】
【図１】
0003131718.tif 000008
【図２ａ】
0003131718.tif 000009
【図２ｂ】
0003131718.tif 000010
【図３ａ】
0003131718.tif 000011
【図３ｂ】
0003131718.tif 000012
【図４】
0003131718.tif 000013
【図５】
0003131718.tif 000014
【図６】
0003131718.tif 000015
【手続補正書】
【提出日】平成19年2月17日(2007.2.17)
【手続補正１】
【補正対象書類名】手続補正書
【補正対象項目名】手続補正１
【補正方法】削除
【補正の内容】
【手続補正２】
【補正対象書類名】手続補正書
【補正対象項目名】手続補正２
【補正方法】削除
【補正の内容】